(57)【特許請求の範囲】
【請求項１】
繰り返し充電可能な二次電池を有し、無接点の充電器によって上記二次電池を充電することが可能なカメラにおいて、
上記充電器と通信するための通信手段と、
上記カメラをパワーオフ状態とする又は上記パワーオフ状態を解除し、パワーオン状態にする第１のカメラ操作のために操作される第１のカメラ操作手段と、
上記カメラがパワーオフ状態でない場合には上記第１のカメラ操作手段とは異なる第２のカメラ操作のために操作され、上記カメラがパワーオフ状態の場合には上記第１のカメラ操作及び上記第２のカメラ操作と異なる上記充電器との通信動作のために操作される第２のカメラ操作手段と、
上記第２のカメラ操作手段がパワーオフ状態で操作された場合、当該パワーオフ状態を解除して上記通信手段を用いて通信動作を行い、通信動作が正常に行われない場合は、カメラを再度パワーオフ状態に設定する動作モード設定手段と、
を備えたことを特徴とするカメラ。
【発明の詳細な説明】
【技術分野】
【０００１】
本発明は、家庭用の交流電源からエネルギを充電して用いるカメラに関するものである。
【背景技術】
【０００２】
従来より、カメラは、自動露出制御用、ストロボ発光のために電池を搭載しているが、近年のマイクロコンピュータ制御による全自動化に伴い、電気回路に対する依存が強くなる傾向にあるのが実状である。
【０００３】
かかる傾向の下、カメラの使用に際して電池交換を常に意識するのは煩わしいことであり、また電池の廃棄による環境に対する影響を考慮する必要もある。
【０００４】
これに鑑みて、例えば特許文献１では、充電器を用いて充電式としたカメラの電源システムに関する技術が開示されている。
【０００５】
即ち、特許文献１により開示された技術では、充電可能な２次電池をカメラ本体に装填し、充電器により無接点方式の充電を行うと共に、充電レベル等の更新を行うために無接点の交信を行うことを可能としている。
【特許文献１】特開平７−１４６１５号公報
【発明の開示】
【発明が解決しようとする課題】
【０００６】
しかし、上記特許文献１により開示されたカメラの電源システムに関する技術は、カメラの固定を検出するスイッチと、データ通信手段に基づいて無接点方式でカメラ内の二次電池を充電するというものであるが、充電制御については何等詳細な記載はされていなかった。
【０００７】
即ち、同技術では、カメラ側が、充電器にセットされたか否かをデータ通信により検出するとされている。従って、カメラのオフ状態で常時通信を行う必要があり、バッテリの消耗が著しかった。さらに、カメラに充電器設置を認識させるべく別スイッチを設けると、コストアップを招くおそれがあった。
【０００８】
また、同技術では、充電器にカメラがセットされたか否かを、固定検出スイッチとの通信により検出していた。従って、位置ずれを検出することができず、その結果、著しい充電効率低下を招くおそれがあった。また、特に、カメラの代わりに金属物が置かれ、誤動作して磁気エネルギが供給されると、その金属物が発熱して、ユーザに火傷を負わせるおそれもあった。
【０００９】
一方、携帯用の機器の発達につれて、電池に依存した製品は増加の一途をたどり、携帯電話や携帯用オーディオ等、通勤通学時に使用する類のものから、子供用のゲーム機器に至るまで、家庭内には充電器があふれている。
【００１０】
そのような状況下において、カメラにも充電器が必要となると、家中が充電器であふれ却ってしまい、普段の生活空間が脅かされる事となる。
【００１１】
また、押入等にしまい込んでしまうと、ものがあふれる現代社会では、どこに何を置いたか判らないような状況に陥るおそれがある。
【００１２】
本発明は、上記問題に鑑みてなされたもので、その目的とするところは、安価・低消費電流で構成でき、充電効率の良いカメラを提供することにある。
【課題を解決するための手段】
【００１３】
上記目的を達成するために、本発明の第１の態様では、繰り返し充電可能な二次電池を有し、無接点の充電器によって上記二次電池を充電することが可能なカメラにおいて、上記充電器と通信するための通信手段と、上記カメラをパワーオフ状態とする又は上記パワーオフ状態を解除し、パワーオン状態にする第１のカメラ操作のために操作される第１のカメラ操作手段と、上記カメラがパワーオフ状態でない場合には上記第１のカメラ操作手段とは異なる第２のカメラ操作のために操作され、上記カメラがパワーオフ状態の場合には上記第１のカメラ操作及び上記第２のカメラ操作と異なる上記充電器との通信動作のために操作される第２のカメラ操作手段と、上記第２のカメラ操作手段がパワーオフ状態で操作された場合、当該パワーオフ状態を解除して上記通信手段を用いて通信動作を行い、通信動作が正常に行われない場合は、カメラを再度パワーオフ状態に設定する動作モード設定手段と、備えたことを特徴とするカメラが提供される。
【００１４】
即ち、第１の態様では、動作モード設定手段により、上記第２のカメラ操作手段がパワーオフ状態で操作された場合、当該パワーオフ状態を解除して上記通信手段を用いて通信動作が行われ、通信動作が行われない場合は、カメラが再度パワーオフ状態に設定される。
【発明の効果】
【００１５】
本発明によれば、安価・低消費電流で構成でき、充電効率の良いカメラを提供することができる。
【発明を実施するための最良の形態】
【００１６】
以下、図面を参照して、本発明の実施の形態について説明する。
【００１７】
先ず、本発明の第１の実施の形態について説明する。
【００１８】
この第１の実施の形態は、充電器側に制御回路や表示部を設けて、ユーザにとって、より判り易い表示を実現するものである。
【００１９】
図１は第１の実施の形態に係るカメラシステムの構成図である。
【００２０】
同図に示されるように、カメラボディ１００の上部には、レリーズボタンＲＳＷ、モード切り換えボタンＭＤＳＷ、フィルム巻き戻しボタンＲＷＳＷ、及び各種の表示を行うＬＣＤ表示部１０５が配設されている。
【００２１】
カメラボディ１００の前面には、レンズ鏡筒１８１、パワースイッチＰＷＳＷが設けられている。このパワースイッチＰＷＳＷがオンされると、レンズ鏡筒１８１は、沈胴状態から繰り出され、前面に突出する。
【００２２】
また、カメラ前面には、ズームのアップダウンを行うＺＵＰＳＷ，ＺＤＮＳＷ、ファインダ窓１８２、測光センサ１０９、リモコンセンサ１１０、セルフタイマ表示ＬＥＤ１１２のそれぞれの窓、キセノン管１５４を含むストロボ窓が配設されている。さらに、上記レンズ鏡筒１８１の下部には、測距用の投光部１０７、受光部１０８が配設されている。
【００２３】
また、カメラボディ１００の底部には、三脚取り付けネジ穴Ｈ１０１が設けられている。さらに、カメラボディ１００の内部には、ＣＰＵ１０１をはじめとする各種電気回路、及び二次電池１０３、これに充電するためのコイルＬ１等が設けられている。
【００２４】
一方、カメラ１００内の二次電池１０３に非接触にて充電するための充電器２００の内部には、充電器２００の各種制御を行うＣＰＵ２０１、当該ＣＰＵ２０１によって制御されるＡＣ−ＡＣコンバータ２０２、家庭用のコンセントから電源を供給するためのソケット２０３、カメラ１００に充電するためのコイルＬ２等が設けられている。さらに、充電器２００の前面には、各種表示を行うためのＬＣＤ表示器２０５が設けられる。
【００２５】
また、上記充電器２００は、その中央部にカメラ１００が設置可能な開口部が設けられており、その側面には、物体が設置された旨を検知するためのフォトリフレクタ２０６が、その底部には、三脚ネジ穴検知用の突起状のスイッチＰＯＳＳＷが設けられている。このスイッチＰＯＳＳＷは、突出しているとＯＦＦしており、押下されているとＯＮする。また、カメラ１００が正しく充電器２００に設置されていると、フォトリフレクタ２０６はＯＮし、ＰＯＳＳＷは、その突起部がカメラ１００の三脚ネジ穴に入りＯＦＦする。
【００２６】
さらに、上記充電器２００の開口部の側面には、通信用の発光素子２０７、受光素子２０８が設けられ、カメラ１００の測距用の投光部１０７、受光部１０８と対向する位置になり、光通信が可能となっている。また、カメラ１００のＺＤＮＳＷと対向する位置に、突起Ｐ２０２が設けられている。
【００２７】
図２は、第１の実施の形態に係るカメラシステムの回路構成を示す図である。  先ず、カメラ１００側の構成を説明する。
【００２８】
同図において、ワンチップマイクロコンピュータ等により構成される中央演算処理装置たるＣＰＵ１０１は、カメラ側の制御を司る。
【００２９】
さらに、不揮発性メモリたるＥＥＰＲＯＭ１０２は、現在の撮影済み駒数をはじめとする各種のデータを記憶するものである。
【００３０】
カメラ１００の内部には、繰り返し充電可能な二次電池１０３が配置されている。そして、この二次電池１０３には、ＣＰＵ１０１によって制御されるスイッチＣＨＳＷを介して、コイルＬ２が接続されている。また、この二次電池１０３には、電圧検知回路１０３ｄを介して、分圧された二次電池１０３の開放電圧をＣＰＵ１０１でＡ／Ｄ変換して検出可能に構成している。
【００３１】
上記カメラ１００の内部には、レギュレータ１０４が設けられており、ＣＰＵ１０１等に過大な電圧がかかることを防止している。
【００３２】
さらに、カメラ１００の内部には、ＬＣＤ表示器１０５が設けられており、カメラの駒数、設定モード等の情報を外部に表示可能としている。
【００３３】
また、カメラ１００の内部には、ＡＦＩＣ１０６、アクティブ測距用の赤外ＬＥＤで構成された投光部１０７、ＰＳＤで構成された受光部１０８が設けられており、公知のアクティブ三角測距を行うことを可能としている。
【００３４】
さらに、ＣＤＳやＳＰＤ等で構成された測光センサ１０９、ＳＰＤ等で構成されたリモコンセンサ１１０、ＬＥＤ発光回路１１１、更にセルフタイマの際にその旨を告知するＬＥＤ１１２も設けられている。
【００３５】
上記ＣＰＵ１０１のポートには、先に記した各種スイッチ（ＲＷＳＷ，ＲＳＷ，ＺＵＰＳＷ，ＺＤＮＳＷ，ＭＤＳＷ，ＰＷＳＷ）が電気的に接続されている。さらに、装填されているフィルムの情報が、ＤＸコードのような形で、上記ＣＰＵ１０１のポートに入力される構成となっている。
【００３６】
ここで、カメラ１００のＺＤＮＳＷは、カメラ１００が充電器２００に正しくセットされると、当該カメラ１００のＺＤＮＳＷが充電器２００側の当該ＺＤＮＳＷと対向する位置に設けられた突起Ｐ２０２により押下され、ＯＮ状態となり（図４（ｂ）参照）、セットが不完全だと押下されずＯＮしないように（図４（ａ）参照）構成されている。
【００３７】
さらに、カメラ１００内には、ストロボ回路１５０が設けられている。これは、充電回路１５１、整流ダイオード１５２、ストロボコンデンサ１５３、キセノン管１５４、トリガ回路１５５からなり、充電の開始と停止、トリガ制御はＣＰＵ１０１により制御されることになる。
【００３８】
次に、充電器２００側の構成を説明する。
【００３９】
充電器２００の内部には、ＣＰＵ２０１が設けられており、これにより各部の制御が行われる。ＡＣ／ＡＣコンバータ２０２は、家庭用の交流電源（例えば、１００Ｖ、５０Ｈｚ）を充電に好適な周波数・電圧（例えば、１０Ｖ、１００ｋＨｚ）に変換するものである。この電源は、コンセント２０３から供給され、変換出力はコイルＬ１に出力される。このＡＣ／ＡＣコンバータ２０２は、上記変換動作をＣＰＵ２によってＯＮ／ＯＦＦ可能に構成されている。
【００４０】
ＡＣ／ＤＣコンバータ２０４は、上記家庭用の交流電源をＤＣ電源（例えば、５Ｖ）に変換する。この電源により、ＣＰＵ２０１は動作する。
【００４１】
ＬＣＤ表示器２０５は、充電器２００の動作に関する情報を表示する。
【００４２】
フォトリフレクタ（ＰＲ）２０６は、先に述べたように、充電器２００にカメラ１００がセットされたか否かを判定するものであり、その出力は、ＣＰＵ２０１に伝達される。赤外線を出力可能な発光素子２０７は、ＣＰＵ２のポートからの信号に基づいて駆動される。一方、受光素子２０８は、カメラ１００側からの赤外線を検出し、その出力をＣＰＵ２に伝達する。
【００４３】
この第１の実施の形態では、発光素子１０７の出力を受光素子２０８で受け、また発光素子２０７の出力を受光素子（ＰＳＤ）１０８で受けることにより、カメラ１００と充電器２００が通信を行うことになる。
【００４４】
以上の他、カメラ１００が正しく充電器２００に設置されているか否かを検出するＰＯＳＳＷが設けられており、出力はＣＰＵ２０１に接続されている。
【００４５】
ここで、カメラ１００が充電器２００の正しい位置にセットされていれば、図３（ａ）に示されるように、ＰＯＳＳＷは三脚ネジ穴に入り込む形でＯＦＦし、セット位置がずれていれば、図３（ｂ）に示されるように、ＰＯＳＳＷはＯＮする。この時、カメラのセルフタイマ用のＬＥＤや、その他表示手段を制御して、ユーザに正しくカメラがセットされたか否かを認知させる。
【００４６】
以下、図５のフローチャートを参照して、上記ＣＰＵ１のカメラの充電に関する処理のシーケンスを説明する。
【００４７】
カメラ１００は、パワーオン状態では鏡筒１８１が前方に繰り出されている為、そのまま充電器２００にセットすることはできない。
【００４８】
従って、カメラ１００をパワーオフさせてセットすることになるが、カメラ１００は、この時、スタンバイ状態（省電力状態）になっているため、充電の際カメラはスタンバイ状態からスタートする（ステップＳ１０１）。
【００４９】
この際、ＰＷＳＷ、ＲＷＳＷ、及びＺＤＮＳＷでスタンバイリリースがかかるようになっており、ＺＤＮＳＷでスタンバイリリースがかかった場合は、ステップＳ１０２に進む。このステップＳ１０２では、発光素子１０７を所定のプロトコルで発光させ、受光素子１０８に所定の応答（エコーバック）が有ったか否かをみることになる（ステップＳ１０３）。
【００５０】
ここで、所定の応答があれば、後述するサブルーチン「充電モード」を実行する（ステップＳ３００）。これに対して、応答がなければ、通信を開始してから所定時間が経過したか否かをモニタしながら（ステップＳ１０４）、上記通信動作を所定間隔でリトライし続ける。そして、所定時間が経過した場合は、上記ステップＳ１０１に戻ってスタンバイ状態となる。
【００５１】
ここで、図７のフローチャートを参照して、上記サブルーチン「充電モード」のシーケンスを詳細に説明する。
【００５２】
先ず、ＣＰＵ１０１で二次電池１０３の電圧を検出し、その値と、ＥＥＰＲＯＭ１０２から読み出されたフル充電時の電圧に相当する値から、二次電池１０３がフル充電されているか否かの判定を行い（ステップＳ３０１）、フル充電ならばステップＳ３０６に進み、フル充電でなければステップＳ３０２に進む。
【００５３】
そして、ステップＳ３０２では、通常リーク電流を阻止するためオフしているＣＨＳＷをオンさせ、次いで、充電コマンドを充電器２００側に送信する（ステップＳ３０３）。次に、充電器２００からのエコーバックがあったか否かを判断し（ステップＳ３０４）、充電器２０からのエコーバックがあればステップＳ３０５へ進み、エコーバックがなければステップＳ３０９へ進む。
【００５４】
続いて、後に述べるカメラのＬＣＤ表示器１０５の設定を行う（ステップＳ３０５）。そして、充電済みの電荷のレベルを通信にて充電器２００に送信し（ステップＳ３０６）、さらにフィルムの残り駒数を通信にて充電器２００に送信する（ステップＳ３０７）。
【００５５】
そして、ストロボコンデンサ１５３の電圧をＣＰＵ１０１のＡ／Ｄコンバータを用いて検出し、必要な場合は充電を行う（ステップＳ３０８）。この際、不図示の充電中を示すランプの表示は、この二次電池１０３の充電中は一切表示させない。また、充電の詳細については後に詳しく述べる。このステップＳ３０８の処理の後は、ステップＳ３０１に戻る。
【００５６】
上記ステップＳ３０４にて、エコーバックがない場合には、カメラ１００が充電器２００から取り外されたか、または充電器の電源が抜かれたと判断し、ＣＨＳＷをＯＦＦさせ（ステップＳ３０９）、リターンする（ステップＳ３１０）。
【００５７】
次に、図６のフローチャートを参照して、ＣＰＵ２０１の充電器２００の制御に関する処理のシーケンスを説明する。
【００５８】
充電器２００は、通電と同時に、カメラ１００のセットを待つ待機モードに入る（ステップＳ２０１）。そして、ＰＲ２０６を動作させて、カメラ１００等の物体がセットされたか否かを判断する（ステップＳ２０２，Ｓ２０３）。ここで、物体が検知されなければ上記ステップＳ２０１へ戻り、物体が検知されたら、ステップＳ２０４以降の処理に進むことになる。
【００５９】
ステップＳ２０４では、ＰＯＳＳＷがＯＦＦされているか否かをみて（Ｓ２０４）、ＯＦＦしていなければ正しくセットされていない（カメラ１００に位置ずれがあるか、カメラ１００以外の物が置かれている）と判断し、上記ステップＳ２０１へ戻る。
【００６０】
一方、上記ステップＳ２０４でＯＦＦが確認できれば、コマンド受信モードに入り、カメラ１００からの通信を待つ（ステップＳ２０５）。そして、所定時間内にコマンドが通信によって送られれば、ステップＳ２０８へ進む。
【００６１】
一方、所定時間内にコマンドが通信によって送られなければ、所定時間充電動作を行った後、充電をオフする（ステップＳ２０７）。これは、カメラの二次電池１０３が、ＣＰＵ１０１動作できない程に消耗していた場合、ＣＰＵ１０１を起動させられる程度にまで充電するためである。また、カメラ１００が故障していて動作しない場合や、カメラ１００以外の物体で長時間作動してしまうことを防止するために、所定時間後に充電をオフする。
【００６２】
続いて、充電器２００がカメラ１００からの通信を受け付けたことをカメラ１００に伝達するために、所定のコードをエコーバックする（ステップＳ２０８）。そして、受け付けたコマンドに対応する動作（例えば、ＡＣ／ＡＣ２０２をオンさせて充電動作を開始させる）を行い（ステップＳ２０９）、それに対応した表示を設定し（ステップＳ２１０）、上記ステップＳ２０５へ戻る。
【００６３】
次に、図８を参照して、カメラ１００のＬＣＤ表示器１０５の表示設定について説明する。
【００６４】
カメラ１００は、パワーオフされた状態（スタンバイ状態）では、表示を消している（図８（ａ）参照）。そして、パワーオンしているときは、図８（ｂ）に示されるような表示を行う。一方、二次電池１０３を充電している際は、図８（ｃ）〜図８（ｆ）に示される表示がなされる。
【００６５】
この際、上記の充電済みの電荷のレベル、即ちＬ０からＬ２のレベルに対応して、バッテリ残量表示がなされる。
【００６６】
次に、図９を参照して、充電器２００のＬＣＤ表示器２０５の表示設定について説明する。
【００６７】
充電器２００のコンセントがセットされていない場合は、図９（ａ）に示されるように表示は消えている。コンセントが差し込まれ、カメラ１００が充電器２００にセットされていないか、セットが正しくないか、または正しくセットされていてもカメラ１００のＣＰＵ１０１が動作できない場合は、図９（ｂ）に示される表示がなされる。充電中の場合は、カメラ１００と同様に図９（ｃ）乃至図９（ｆ）に示される表示がなされる。
【００６８】
仮に、充電中にカメラ１００が充電器２００から取り外され、その直前の状態が１本のフィルム撮影を保証できないＬ０以下のレベルの場合は、図９（ｇ）に示されるようにバッテリマークが一定時間点滅し、且つ警告音を発することにより警告を行い、図９（ｂ）に示される表示に戻る。
【００６９】
図９（ｇ）に示される警告表示をなす条件としては、充電器２００側で設定を変更可能になっており、充電中のカメラ１００にフィルムが装填されている場合は、カメラ１００から送信される残り駒数情報と、バッテリレベルの詳細情報を基に、充電器２００が残り駒数を撮影可能なレベル充電されていないと判断した場合にのみ、上記警告を発するように設定することもできる。
【００７０】
次に、図１０を参照して、ストロボコンデンサ１５３の充電動作について説明する。この第１の実施の形態では、カメラ１００が充電器２００にセットされている間は、充電器２００からカメラ１００が外された場合、即座にストロボ撮影が可能になるように、常にストロボコンデンサ１５３が発光可能なレベルに充電制御するようになっている。即ち、図１０のように、発光可能の下限電圧になると、ストロボ充電する。
【００７１】
次に、図１１を参照して、二次電池１０３への充電の詳細を説明する。
【００７２】
図１１は、放電が進んだ二次電池１０３が装填されたカメラ１００を充電器２００にセットした場合の、当該二次電池１０３の電圧変化を示す図である。
【００７３】
完全に放電が進んでいると、ＣＰＵ１０１も動作できないため、カメラ１００と充電器２００の通信は行われない。その場合、先に述べたように、ＣＰＵ１０１が動作可能となるレベルＬｃｐｕまでは、充電器が強制的に充電する。
【００７４】
そして、二次電池１０３がＬｃｐｕのレベルまで達すると、カメラ１００と充電器２００とは、相互に通信しながら充電することになる。
【００７５】
図中のＬ０は、例えば常温で３６枚撮りフィルムが１本撮影出来るレベルの二次電池１０３の電圧、Ｌ１は規定した最低温度でフィルムが１本撮影できるレベル、Ｌ２はカメラとして保証しているフィルム撮影本数、即ち、例えば常温で２４枚撮りフィルム１０本を撮影できるレベル、Ｌ３は二次電池１０３のフル充電を示す電圧である。カメラ１００が充電器２００にセットされると、必ずＬ３レベルまで充電し、その後は、Ｌ３とＬ２の間に設けられたＬｃレベルになると、再度Ｌ３まで充電することとしている。
【００７６】
以上説明したように、本発明の第１の実施の形態によれば、非接触にてカメラと充電器が相互に通信しながら充電等の動作を進めていくため、双方に充電のレベルを含めた適切な表示が可能であり、またカメラ側で検出した正確な二次電池電圧に基づいて充電制御できるため、過充電を引き起こすことなく高速な充電が可能である。
【００７７】
また、カメラが正しくセットされているかを検知しているため、不必要な充電動作をしたり、別の金属等の物体がセットされた際充電動作によりこれを加熱させてしまうことがない。また、カメラは、通常パワーオフでスタンバイ状態であり、バッテリの消耗を最小限にでき、且つ充電器にセットされた場合はスタンバイが解除されるので、充電モードに入り、充電に対応できる。
【００７８】
また、バッテリが放電しきっていており、カメラが通信不能の場合でも、通信可能となるレベルまで強制的に充電するため、充電する二次電池の状況に関わらず充電出来る。また、カメラが充電器から取り外された場合に、そのバッテリの充電度合いに応じて警告を発するため、ユーザが撮影中に、意に反して電池切れを起こす確率を低減できる。
【００７９】
また、充電中、その充電度合いに応じて、カメラと充電器の双方にレベル表示をするため、表示が見える角度が広く、見易くなる。また、位置ずれ検出は三脚ネジ穴で行い、充電器セット時はＺＤＮＳＷによりスタンバイリリースする等、カメラの撮影に必要な部材と充電に必要な部材を兼用しているため、別個に設けるよりもカメラを小型にでき、コストも安くできる。
【００８０】
尚、第１の実施の形態は、その趣旨を逸脱しない範囲で種々の改良、変更が可能であることは勿論である。例えば、充電が不十分な際の警告は、充電器側のみでなく、カメラ側で警告してもよいし、双方で行っても良い。また、カメラ側の通信手段は測距装置を用いなくてもよく、測光手段やリモコンセンサ、セルフ用を含めたいずれかの表示用発光素子、ストロボ等他の発光手段、受光手段を用いてもよい。また、充電器にセットした際のスタンバイリリース手段は、ＺＤＮＳＷ以外の、ＲＷＳＷ等その他のスイッチで行っても良い。
【００８１】
図１２は本発明の第２の実施の形態の概念図である。
【００８２】
同図に示されるように、カメラ１は、家庭用交流電源のコンセント３に接続された充電器２に差し込まれており、かかる状態下でカメラ内の不図示の二次電池が充電されている。このように、カメラ１の充電を行う事で、ユーザ５が使用する際には、エネルギが十分に蓄えられているようにしている。
【００８３】
上記充電器２は、時計表示部４を有しており、目覚まし時計としても機能するような構成としている。つまり、カメラ１とは異なる第２の機能を有することになり、カメラ１の充電時以外にも、その第２の機能によって、充電器２を意識させず、更には室内のレイアウトや景観を損ねることもない。
【００８４】
ユーザの部屋には、その他にも電話の子機や携帯用ＣＤプレーヤ、電動歯ブラシなどの充電器又はＡＣアダプタがあり、ノートパソコン等も充電器又はＡＣアダプタを要し、これ以上、電気製品の煩雑さが増加すると、生活空間から豊かさが失われてしまう。上記製品とは異なり、カメラ１は使用頻度が低く、その反面、使用したいときに十分機能するように常時、充電がされていることが嘱望されるという性格を有するが、上記したような構成とする事によって、第２の実施の形態の目的を達成することとしている。
【００８５】
ところで、二次電池を充電するための充電器の技術は、許容される充電時間や使用される電池によっても異なるが、充電器と機器を金属の接触ピンで電気的に接続する接触式充電器と、トランスを用いて電磁気を利用する非接触式の充電器の２種が一般に採用されている。例えば、図１２においても、パソコンや電話の充電器は接触式でよく、電動歯ブラシ等は防水用の密閉性を考慮すると非接触式である事が好ましい。以下に詳述するように、第２の実施の形態では、カメラが屋外で使用される頻度が高く、その際に雨や雪による水滴が付着する事を考慮し、非接触的充電式を採用している。
【００８６】
図１３は、第２の実施の形態に係るカメラ及び充電器の電気回路の詳細な構成を示すブロック図である。
【００８７】
同図において、符号３は、家庭のコンセントからとる交流電源を示しており、充電器２に内蔵の入力整流平滑回路２１によって直流電圧化が行われる。
【００８８】
直流電圧では、トランス１２ａ，１２ｂの間で結合が行われず、その効率を上げるために、商用周波数以上に高い高周波発振にてトランス間の電磁結合を行うこととなる。この高周波発振は、共振回路２２により行われる。
【００８９】
１次トランス１２ａまでは充電器２側に収められているが、２次側のトランス１２ｂはカメラ１側の上記充電器２側の１次トランス１２ａと対向する位置に配置されている。このトランス１２ａ，１２ｂ間に磁気エネルギの伝達が行われると、出力整流回路１３にて２次電池１１に充電が行われる。
【００９０】
この２次電池１１には、ニッカド電池、ニッケル水素電池等を利用することができるが、前者は大電流に対応可能で、後者は大容量という特性がある。さらに、充電方式にも、低率充電等の工夫が考えられるが、この第２の実施の形態の特徴的な部分ではないので、詳細な説明は省略する。
【００９１】
ただ、非接触充電器は磁気エネルギの放出によって、金属物等が置かれると加熱されて危険である。そこで、間欠発振回路２４を設け、カメラ１が設定されていない時には、当該間欠発信回路２４を間欠的に動作させている。
【００９２】
カメラ１が充電器２に接触すると、トランス２５ａ，２５ｂが磁気エネルギを結合して、カメラ１の補助電源回路２８を駆動して、カメラの制御回路１０に電源を印加する。これにより、制御回路１０は、発振回路２９によってトランス２７ｂに磁気信号を生じさせる。この磁気信号は、充電器側の２７ａによって検出され、信号検出回路２６ａがその信号を整形して制御回路２０に入力する。この整形後の磁気信号により、充電器２側の制御回路２０は、カメラ１が充電可能状態であることを判別することができる。
【００９３】
さらに、充電器２を制御する制御回路２０は、時計機能ブロックを有しており、先に図１２に示したように、時刻表示を行うことができるようになっている。また、目覚まし時計として用いるために、アラームの時刻設定を行ったり、時刻合わせをするためのスイッチ２０ｂがユーザ５によって操作可能なように外装部に設けられているのが特徴となっている。
【００９４】
また、磁気信号だけでは十分な精度で通信できないような信号は、フォトカプラを形成するＬＥＤ１７ａとフォトダイオード（ＰＤ）１７ｂによって、カメラ１から充電器２側へ通信される。尚、説明の便宜上、このＬＥＤ１７ａに電流を流し、これを駆動する回路をドライバと表記し、ＰＤの信号を整形する回路をセンサと表記した。
【００９５】
上記充電器２からカメラ１へ通信される信号は、ＬＥＤ１８ａ，ＰＤ１８ｂによって通信される。これによって、充電器２の有する時計機能によって形成された情報をカメラ側に伝えることができる。尚、カメラ１としては、撮影された年月日や時刻をプリント上に表示できるように、フィルムの撮影コマ上にデート情報を磁気的に、又は光学的に記録するためのデート機能３１を有するものを想定している。そして、制御回路１０によってデート機能が制御され、撮影時のデート情報を不図示のフィルムに記録することができる。
【００９６】
フィルム画面内に光学的に写し込まれたものは、現象プリント時に写真プリント上に画面上に文字が浮かび出る形となり、磁気写し込みのタイプはフィルムに設けられた磁気記録層に磁気記録された情報をプリント時に読み取り、プリント機がそれを文字に変換し、写真の上に印字する形をとる。
【００９７】
このカメラ１の内蔵するデート機能は、カメラ１の電源となる電池の電圧が低下すると、制御回路２０内のメモリが正常に動作しなくなって、不正確となるので、電池を交換する度に時刻や年月日を正しく合わせ直す必要がある。本発明では、その煩雑さを解消するために、充電器２側の時計機能として、標準時刻を電波で送る郵政省のサービスと結びつける電波時計を採用する。
【００９８】
この電波時計は、内蔵のアンテナ（図中、受信部３０に相当）が１時に一度、自動的に標準電波を受信し、その結果によって、時計表示を校正するので、非常に高精度の時計機能となる。この正確な時計データを先の光結合（フォトカプラ）による信号通信によって、カメラ側に伝達するので、充電時にはカメラ１側も常に正確な時刻を認識できることとなる。
【００９９】
以下、図１４のフローチャートを参照して、充電器側の時刻調整の動作を説明する。即ち、カメラ１がセットされるまでは、標準電源を受信する度に時刻セットを行い（ステップＳ４０１乃至Ｓ４０３）、カメラ１がセットされると、充電を開始し、充電終了となると、時計情報送信し、カメラ１側がこれを受信すると、上記ステップＳ４０１に戻り、上記動作を繰り返すことになる（ステップＳ４０４乃至Ｓ４０８）。このような一例のシーケンスにより、電池がなくなったカメラも、充電中に正しいデートを自動的に再セットされ、撮影時には常に正しいデート写しこみが可能となる。
【０１００】
以上説明したように、第２の実施の形態によれば、二次電池を用いたカメラの充電器において、充電器に電波時計というそれ自体で利用可能な機能を持たせたので、目覚まし時計代わりにでも利用すれば、置き場所が邪魔になる事もなく、カメラ側としては自動的に正しいデートがセットされる、という優れた商品性を付加することができる。
【０１０１】
次に本発明の第３の実施の形態について説明する。
【０１０２】
この第３の実施の形態に係るカメラ及び充電器は、上記第２の実施の形態の説明でふれた目覚まし機能をより強調したものである。
【０１０３】
図１５は第３の実施の形態に係るカメラ及び充電器の構成図である。
【０１０４】
同図において、符号１はカメラであり、符号２は時計４内蔵の充電器であり、符号２ａは、目覚ましアラーム停止用のボタンであり、ユーザ５が目を覚ましてこのボタンを押せばアラームが停止する。ここでは、アラームとして、通常の目覚まし時計の音によるものに加え、カメラの機能を有効に利用して、ストロボ１４の発光を併用して、より目覚まし効果を高めている。
【０１０５】
図１６は、この目覚まし時の発光パターンの例である。
【０１０６】
被写体の人物の瞳孔を撮影時に縮小させて、所謂赤目現象を防止する為に、上記撮影に先立って微少な発光を繰り返す技術が知られているが、ここでは、その技術を応用して、図示のように、露出時の発光程は大きくない光量で何度も発光を繰り返して目覚まし効果を高めている。
【０１０７】
図１７は第３の実施の形態に係る充電器及びカメラの構成をより詳細に示す概念図である。充電器側のＣＰＵ２０は、時刻をセットするセット時刻部４３と、計時部２０ａ、両者の出力を比較する比較器４４の機能が含まれている。一方、カメラ側のＣＰＵ１０は、発光パターン１と発光パターン２の情報を保持する領域４０，４１と、両者のいずれかを選択する選択部４２の機能を有している。上記選択部４２には充電器側からの充電中信号が入力され、さらに、この選択部４２の出力はストロボ１４の入力に接続されている。
【０１０８】
以下、図１８，１９のフローチャートを参照して、充電器側及びカメラ側の各ＣＰＵの動作を説明する。
【０１０９】
先ず、図１８のフローチャートを参照して、充電器２側のＣＰＵの動作を説明する。本実施の形態では、充電器２側では、常に時計機能は働いており（ステップＳ５０１）、カメラ１が充電器２にセットされれば（ステップＳ５０２）、充電モード信号をカメラ１側に出力し（ステップＳ５０３）、充電モードでは、目覚まし時刻になると（ステップＳ５０４）、アラームを鳴らすと共に（ステップＳ５０５）、カメラ１側に目覚ましタイミング信号を送信する（ステップＳ５０６）。そして、ユーザがスイッチを押すと（ステップＳ５０７）、アラームは停止する（ステップＳ５０８）。
【０１１０】
次に、図１９のフローチャートを参照して、カメラ１側ＣＰＵの動作を説明する。カメラ１と充電器２との通信によって、充電器２が共振回路２２を駆動する充電モードであることが判定されると（ステップＳ６０１）、目覚まし信号が充電器２側から送信されるまで待機し（ステップＳ６０２）、受信すると図１６に示される目覚まし時の発光パターン（パターン２）でストロボ発光制御を行う（ステップＳ６０３）。
【０１１１】
一方、充電モードにないときには（ステップＳ６０１）、通常のカメラモードなので、レリーズボタンに連動し（ステップＳ６０４）、図１６に示される撮影時のパターン（パターン１）でストロボ発光制御を行い（ステップＳ６０５）、露光を行う（ステップＳ６０６）。
【０１１２】
このように、第３の実施の形態では、充電時は、レリーズスイッチをモニタしないので、充電中にレリーズボタンを誤って押しても、撮影が行われてしまってフィルムを無駄にするようなことはない。
【０１１３】
つまり、充電状態であるか否かによって、カメラのシーケンス制御が自動的に切り換えられるので、誤動作を防止でき、機能（ここではストロボ）を使い分ける事によって有効活用できることとなる。
【０１１４】
次に本発明の第４の実施の形態について説明する。
【０１１５】
これは、先に述べた第３の実施の形態の考え方を更に応用して、充電器側のシーケンスを後述するように切り換えることを特徴とするものである。
【０１１６】
図２０は第４の実施の形態に係るカメラ及び充電器の構成を示す図である。
【０１１７】
図２０（ａ）は、カメラ１が充電器２にセットされる前の状態を示している。
【０１１８】
この時、充電器２の前面に取り付けられた時計表示部４は、時計表示又は目覚まし設定時刻を行っている。しかし、充電器２にカメラ１がセッティングされると、充電モードになる。そこで、かかる状態では、充電器２側で、時計以外に充電完了までの時間を表示できるようにしている。
【０１１９】
また、充電の進行を表示することで、ユーザはカメラが使用可能となる時期を判断できるようになる。充電完了までの時間を表示する時には、時計とは別の表示であることを判り易く示すために、図２０（ｂ）に模擬的に示したように表示を点滅させれば、ユーザが間違える事がない。
【０１２０】
このような工夫をすることで、ユーザが充電終了までに要する時間を現在の時刻と間違えて不都合を生じるような事態が生じるのを防止している。
【０１２１】
ここで、充電器２に設けられた目覚ましアラーム終了用のボタン２ａの操作によって、表示形態を切換可能とすることもできる。この場合、ボタン２ａを押した状態では、充電に必要な時間か又は目覚まし設定時間かを、充電状態にあるか否かかによって切り換えるようにすればよい。
【０１２２】
以下、図２１のフローチャートを参照して、このような充電器２側の動作を説明する。ボタン２ａが押下されると（ステップＳ７０１）、充電中である場合には、充電に必要な時間点滅表示を行い（ステップＳ７０４）、充電中でない場合には、目覚まし設定時刻の点滅表示を行う（ステップＳ７０３）。
【０１２３】
次に第５の実施の形態について説明する。
【０１２４】
カメラの機能を用いて、充電中の時計機能を充実させる実施の形態については、先にストロボの発光による目覚まし機能を採用した例を示したが、第５の実施の形態は、これに代えてカメラの持つセンサ機能を応用するものである。
【０１２５】
カメラが露出制御に用いる測光手段の出力に応じて時計表示のバックライト機能を作動させれば、暗い時には、図２４（ａ）に示されるように測光センサ５０がそれを検出し、充電器２の時計表示のＬＣＤ４の表からランプやＬＥＤを点灯させて、暗い所でもよく見える時計を提供することができる。
【０１２６】
図２２は、第５の実施の形態に係るカメラ及び充電器の特徴となる機能を示すブロック回路図である。
【０１２７】
同図に示されるように、カメラ１内に設けられたセンサ５０の出力をＡ／Ｄ変換部５１がディジタル値に変更して、カメラ１のＣＰＵ２０に測光データとして送信する。カメラ１として用いる時は、シャッタやストロボ等からなる露出制御部５３を制御する。しかし、充電中は、充電器２のＣＰＵ２０にＢ．Ｌ点灯必要信号を入力するようにし、充電器２側のＣＰＵ２０がそれに応じて点灯制御を実行すれば、上記効果を有する表示照明機能付の時計を提供できる。
【０１２８】
以下、図２４（ｂ）のフローチャートを参照して、カメラ１側ＣＰＵ１０の制御動作を説明する。カメラ１側のＣＰＵ１０は、充電中は、所定時間毎に測光シーケンスを繰り返し（ステップＳ８０１，Ｓ８０２）、輝度が暗くなった時には（ステップＳ８０３）、充電器２に点灯要求信号を出力する（ステップＳ８０４）。充電中でない場合には、通常のカメラモードの動作を行う（ステップＳ８０１，Ｓ８０５）。
【０１２９】
ここで、図２３を参照して、カメラ１側に設けられた多くのスイッチ数を有効に活用して、時計機能の一助とする変形例を説明する。
【０１３０】
図２３（ａ）に示されるように、この変形例では、カメラ１の背面に設けられたスイッチによって、時計の表示を切り換え自在としている。
【０１３１】
ユーザ５は、充電器２にカメラ１をセットする前に、カメラ１の背面に設けられたボタンを利用して、目覚ましの時刻設定を行っている。
【０１３２】
また、図２３（ｂ），（ｃ）に示されるように、日付けを日本風の並びにしたり欧米風の並びにしたりする設定も、カメラ１のスイッチで行うことを可能としている。これらの設定後のカメラ１を充電器２にセットすると、充電器２の表示がカメラ１による設定によって切り換えられる。つまり、充電器２側には、設定用ボタン、スイッチ数は不要になる。これによって、コストダウンやスペースメリットの効果を出すことができる。
【０１３３】
次に第６の実施の形態について説明する。
【０１３４】
この実施の形態は、充電式カメラにおいて、磁気信号を不用意に放出する事が省エネ上も安全上も好ましくないことに鑑みてなされたものである。
【０１３５】
図２５は第６の実施の形態に係るカメラ及び充電器の構成を示す図である。
【０１３６】
同図において、カメラ１を充電器２に設定すると、当該カメラ１のレリーズスイッチ６１の弾力によって充電器２のスイッチ６０ｂは押圧され、閉成させられる構成となっている。このスイッチによる信号が入った時のみ、充電器２のＣＰＵ２０は、共振器２２を作動させるようにしている。これにより、充電器２が不用意に磁気エネルギを放出するのを防止している。
【０１３７】
尚、レリーズボタンではなく、ズームスイッチの操作に同期して同様の制御を行っても同様の効果が得られることは勿論である。
【０１３８】
ここで、図２７（ａ）を参照して、図１３でも説明したフォトカプラ１７，１８を介して、カメラ１と充電器２間の光通信を行うことによって、更に充電時の信頼性を向上させた動作を詳細に説明する。
【０１３９】
スイッチ６０がＯＮされると（ステップＳ９０１）、充電器２側からカメラ１側に充電を開始するか否かをチェックする信号が上記フォトカプラ１７，１８を介して送信されることになる（ステップＳ９０２）。
【０１４０】
この時、カメラ１が充電に相応しい状態にあれば返答信号を送信するので、それが受信できた時のみ（ステップＳ９０３）、充電器２は共振回路を発信させ、充電開始する（ステップＳ９０６）。充電中は、図２７（ｂ）に示されるように、充電器前面の液晶にチャージ中表示を出す（ステップＳ９０７）。
【０１４１】
そして、カメラがフル充電されると、カメラ１側がそれを検出し、終了信号を出力する。この終了信号を充電器２が受信すると、或いは、この終了信号を受信しなくてもスイッチ６０がオフされれば、カメラが引き抜かれたと判断し共振回路をＯＦＦさせる（ステップＳ９０８乃至Ｓ９１０）。
【０１４２】
また、カメラ１の電池内のエネルギが完全になくなっていて、カメラ１が応答できない時には（ステップＳ９０３）、共振回路を所定時間発振させ、カメラ１側に起動をかけた後、再度、返答信号受信のチェックを行った後、共振回路を連続発振させる（ステップＳ９０４，Ｓ９０５）。
【０１４３】
ここで、カメラ１への不用意な磁気エネルギの印加は、誤動作を誘発させる可能性がある。かかる点に鑑みて、この実施の形態では、図２６に示されるように、カメラ１をレンズ沈胴させ非作動状態にした場合のみ、充電器２に入れられるようにする事で、誤動作対策としている。尚、図２６（ａ）はＯＮ状態、図２６（ｂ）はＯＦＦ状態を示している。
【０１４４】
このような工夫をした場合、カメラが図２６（ａ）のレンズセットアップ状態のまま、電池エネルギを消費し尽くしてしまうと、二度と充電できなくなるので、カメラのシーケンス制御の方で電池使用の末期は、必ず図２６（ｂ）に示すように沈胴させてから充電を待つといった工夫を併用する必要がある。
【０１４５】
この図２６において、小さなメインスイッチ１ｂの位置判定は難しいので、メインスイッチ１ｂがＯＮの時は、レンズがセットアップされ、メインスイッチ１ｂがＯＦＦ時は、レンズが沈胴するという特徴を有効活用している。
【０１４６】
上記メインスイッチ１ｂのＯＮ状態では、ストロボ発光やシャッタ制御、巻き上げ、巻き戻し等が許可される状態なので、磁気ノイズによってカメラが思いもよらぬ動作をする可能性がある。その点、メインスイッチ１ｂのＯＦＦ状態では、そのような心配がないといえる。
【０１４７】
このメインスイッチ１ｂのＯＦＦ状態（レンズ沈胴状態）でのみ、図２５に示したようにスイッチ６０が作動するので、誤動作の危険性の少ない充電式カメラが提供できる。また、充電器２の前面の時計用ＬＣＤ４を有効活用して、充電中表示を行わせたので、カメラ１の充電器２への差し込み方が不適当で、充電できない状態である旨をユーザに示唆し防止している。
【０１４８】
尚、本発明の上記実施の形態には、以下の発明も含まれる。
【０１４９】
（１）繰り返し充電可能な二次電池を内蔵または装填可能に構成され、無接点充電器によって上記二次電池を充電可能なカメラにおいて、
カメラに設けられ、カメラが上記充電器に、充電可能な状態に設置されたことを検出する設置検出手段と、
上記設置検出手段の出力に基づいて、動作モードを充電可能な状態に移行させるモード切換え手段と、
を備えたことを特徴とするカメラ。
【０１５０】
（２）上記設置検出手段の出力に基づいて、動作モードが省電力動作モードから非省電力動作モードに切り換わる上記（１）のカメラ。
【０１５１】
（３）上記設置検出手段は、カメラの操作部材の状態変化と、上記充電器との相互通信の組み合わせにより構成される上記（１）のカメラ。
【０１５２】
（４）上記カメラの操作部材は、パワースイッチ、レリーズボタン、ズーム操作部材、モード設定操作部材、フィルム巻き戻し操作部材のいずれかであることを特徴とする上記（１）のカメラ。
【０１５３】
（５）上記カメラの充電器との相互通信は、測光手段、測距手段、リモコン検知手段、セルフタイマー表示手段のいずれかである上記（１）のカメラ。
【０１５４】
（６）繰り返し充電可能な二次電池を内蔵または装填可能に構成され、無接点充電器によって上記二次電池を充電可能なカメラにおいて、
上記充電器と通信可能な通信手段を備えており、
省電力状態で所定のカメラ操作部材が操作された場合、省電力状態を解除して上記通信手段を用いて通信動作を行い、通信動作が正常に行われない場合は、カメラを再度省電力状態にする動作モード設定手段と、
を備えたカメラ。
【０１５５】
（７）繰り返し充電可能な二次電池を内蔵または装填可能なカメラが装着可能な無接点充電器において、
上記充電器に対してカメラを正しく位置決めするための位置決め機構と、
上記充電器に対してカメラが正しく位置決めされているかを検出する検出手段と、
を備えた充電器。
【０１５６】
（８）上記検出手段によりカメラが正しく位置決めされていないことが検知された際は、上記充電器は、上記二次電池に対する充電動作を禁止する上記（７）の充電器。
【０１５７】
（９）上記検出手段によりカメラが正しく位置決めされていないことが検知された際は、上記充電器は、上記充電器が警告を発するか、または上記カメラに警告を発せしめる上記（８）の充電器。
【０１５８】
請求項３の充電器。
【０１５９】
（１０）上記検出手段は、カメラの外形特徴を検出することにより、カメラが正しく位置決めされているかを検出する上記（８）の充電器。
【０１６０】
（１１）上記カメラの外形特徴は、三脚取り付け穴である上記（１０）の充電器。
【０１６１】
（１２）上記充電器は、さらに上記カメラとの通信手段を備え、
上記カメラが正しく位置決めされていると判断され、それにもかかわらず通信が正常に行われない場合は、所定時間充電動作を行う上記（１１）の充電器。
【０１６２】
（１３）繰り返し充電可能な二次電池を内蔵または装填可能に構成され、無接点充電器によって上記二次電池を充電可能なカメラにおいて、
上記カメラに設けられた、撮影動作可能状態と撮影動作禁止状態とを切り換える動作モード切換手段と、
上記動作モード切り換え手段が撮影動作禁止状態に設定されているときのみ上記充電器によって充電可能に構成されたことを特徴とするカメラ。
【０１６３】
（１４）繰り返し充電可能な二次電池を内蔵または装填可能なカメラ装着可能な無接点充電器において、
カメラが非動作状態であるか否かを判別する判別手段と、
上記判別手段の出力に基づいて、非動作状態の際にのみ充電を許可する充電許可手段と、
を備えた充電器。
【０１６４】
（１５）繰り返し充電可能な二次電池を内蔵または装填可能に構成され、無接点充電器によって上記二次電池を充電可能なカメラにおいて、
上記二次電池の充電済み容量を検出する容量検出手段と、
上記無接点充電器との結合が解除されたことを検知する結合解除検知手段と、  上記二次電池の充電済み容量が、所定量の撮影動作を保証できない場合、警告を発するか、または上記充電器に警告を発せしめる警告手段と、
を備えたカメラ。
【０１６５】
（１６）上記所定量の撮影動作に対応する充電済み容量は、その時点で装填されているフィルムをとりきる為に必要な容量である上記（１５）のカメラ。
【０１６６】
（１７）上記所定量の撮影動作に対応する充電済み容量は、１枚の撮影に必要な容量である上記（１６）のカメラ。
【０１６７】
（１８）繰り返し充電可能な二次電池を内蔵または装填可能に構成され、無接点充電器によって上記二次電池を充電可能なストロボ付カメラにおいて、
上記カメラが上記充電器にセットされている際は、上記ストロボのストロボコンデンサを、発光可能な電圧に維持するように制御するストロボコンデンサ電圧維持手段を動作させることを特徴とするカメラ。
【図面の簡単な説明】
【０１６８】
【図１】第１の実施の形態に係るカメラシステムの構成図である。
【図２】第１の実施の形態に係るカメラシステムの回路構成を示す図である。
【図３】スイッチＰＯＳＳＷの動作状態を説明するための図である。
【図４】スイッチＺＤＮＳＷの動作状態を説明するための図である。
【図５】ＣＰＵ１のカメラの充電に関する処理のシーケンスを説明するためのフローチャートである。
【図６】ＣＰＵ２０１の充電器２００の制御に関する処理のシーケンスを説明するためのフローチャートである。
【図７】サブルーチン「充電モード」のシーケンスを詳細に説明するためのフローチャートである。
【図８】カメラ１００のＬＣＤ表示器１０５の表示設定について説明するための図である。
【図９】充電器２００のＬＣＤ表示器２０５の表示設定について説明するための図である。
【図１０】ストロボコンデンサ１５３の充電動作について説明するための図である。
【図１１】二次電池１０３への充電の詳細を説明するための図である。
【図１２】本発明の第２の実施の形態の概念図である。
【図１３】第２の実施の形態に係るカメラ及び充電器の電気回路の詳細な構成を示すブロック図である。
【図１４】充電器側の時刻調整の動作を説明するフローチャートである。
【図１５】第３の実施の形態に係るカメラ及び充電器の構成図である。
【図１６】目覚まし時の発光パターンの一例を示す図である。
【図１７】第３の実施の形態に係るカメラ及び充電器の詳細な構成を示す図である。
【図１８】第３の実施の形態のカメラ及び充電器における、充電器２側のＣＰＵの動作を説明するフローチャートである。
【図１９】第３の実施の形態のカメラ及び充電器における、カメラ１側ＣＰＵの動作を説明するフローチャートである。
【図２０】第４の実施の形態に係るカメラ及び充電器の構成を示す図である。
【図２１】第４の実施の形態のカメラ及び充電器における、充電器２側のＣＰＵの動作を説明するフローチャートである。
【図２２】第５の実施の形態に係るカメラ及び充電器の特徴となる各種機能を示したブロック回路図である。
【図２３】カメラ１側に設けられた多くのスイッチ数を有効に活用して、時計機能の一助とする変形例を説明するための図である。
【図２４】（ａ）は第５の実施の形態による表示態様を示す図であり、（ｂ）はカメラ１側のＣＰＵ１０の制御動作を説明するフローチャートである。
【図２５】第６の実施の形態に係るカメラ及び充電器の構成を示す図である。
【図２６】カメラ１のレンズの沈胴状態と、充電器２への設置の状態との関係を説明するための図である。
【図２７】（ａ）はフォトカプラ１７，１８を介して、カメラ１と充電器２間の光通信を行うことによって、更に充電時の信頼性を向上させた動作を詳細に説明するフローチャートであり、（ｂ）は、第６の実施の形態の表示態様を示す図である。
【符号の説明】
【０１６９】
１００  カメラ
１０１  ＣＰＵ
１０３  二次電池
Ｈ１０１  三脚取り付けネジ穴
２００  充電器
２０１  ＣＰＵ
２０２  ＡＣ−ＡＣコンバータ
２０５  ＬＣＤ表示器
２０６  フォトリフレクタ
２０７  発光素子
２０８  受光素子
Ｐ２０２  突起部
【図１】
0004878620.tif 000002
【図２】
0004878620.tif 000003
【図３】
0004878620.tif 000004
【図４】
0004878620.tif 000005
【図５】
0004878620.tif 000006
【図６】
0004878620.tif 000007
【図７】
0004878620.tif 000008
【図８】
0004878620.tif 000009
【図９】
0004878620.tif 000010
【図１０】
0004878620.tif 000011
【図１１】
0004878620.tif 000012
【図１２】
0004878620.tif 000013
【図１３】
0004878620.tif 000014
【図１４】
0004878620.tif 000015
【図１５】
0004878620.tif 000016
【図１６】
0004878620.tif 000017
【図１７】
0004878620.tif 000018
【図１８】
0004878620.tif 000019
【図１９】
0004878620.tif 000020
【図２０】
0004878620.tif 000021
【図２１】
0004878620.tif 000022
【図２２】
0004878620.tif 000023
【図２３】
0004878620.tif 000024
【図２４】
0004878620.tif 000025
【図２５】
0004878620.tif 000026
【図２６】
0004878620.tif 000027
【図２７】
0004878620.tif 000028